(57)【要約】【課題】開く及び閉じるの両方を片手操作で簡単に行う。【解決手段】表筐体２と裏筐体３間で変換プレート４をＵ字状移動経路に沿って移動可能に支持し、変換プレート４の上下両端をコの字型操作枠５の内側に挟んでいる。コの字型操作枠５を上下に操作して、変換プレート４をＵ字状移動経路に沿って移動させることができる。変換プレート４中央のＵ字型孔４ａの内周にギア歯を設け、小円形歯車６を変換プレート４のＵ字型孔４ａ内周のギア歯に歯合させ、大円形歯車７をラック歯車８に歯合させている。コの字型操作枠５の上下操作により変換プレート４をＵ字状移動経路に沿って移動させると、変換プレート４のＵ字型孔４ａ内周のギア歯に歯合している小円形歯車６が回転し、大円形歯車７も回転し、大円形歯車７に歯合しているラック歯車８が上下方向に直線移動する。【選択図】図２
2007318326.tif 000002
【特許請求の範囲】
【請求項１】
変換プレートにＵ字型孔を形成して、該変換プレートのＵ字型孔内周にギア歯を設け、該変換プレートのＵ字型孔内周のギア歯に歯合する小円形歯車を設け、該小円形歯車に大円形歯車を同心状に重ね合わせて固定し、該大円形歯車にラック歯車を歯合させており、
前記変換プレートのＵ字型孔内周のギア歯が前記小円形歯車に歯合した状態で移動し得る様に該変換プレートをＵ字状移動経路に沿って移動可能に支持し、
前記Ｕ字状移動経路に沿う前記変換プレートの往復移動を操作する操作部を設けたことを特徴とする開閉装置。
【請求項２】
前記Ｕ字状移動経路に沿う前記変換プレートの往路移動のときに往復移動方向に圧縮変形される往復移動付勢バネを設け、前記往復移動付勢バネの反発力により該変換プレートの復路移動がなされることを特徴とする請求項１に記載の開閉装置。
【請求項３】
前記往復移動付勢バネの反発力による前記変換プレートの移動距離は、該変換プレートの復路移動の移動距離以上であることを特徴とする請求項２に記載の開閉装置。
【請求項４】
前記Ｕ字状移動経路に沿う往復移動方向と直交する一方向に前記変換プレートを付勢する第１直交方向付勢バネと、前記往復移動方向と直交する他方向に前記変換プレートを付勢する第２直交付勢バネとを設け、
前記Ｕ字状移動経路に沿う前記変換プレートの復路移動のときに前記第１及び第２直交付勢バネの一方が圧縮され、次の該変換プレートの往路移動のときに前記圧縮された一方の直交付勢バネの反発力により該変換プレートが往路側から復路側へと移動されることを特徴とする請求項１に記載の開閉装置。
【請求項５】
前記第１及び第２直交付勢バネの反発力による前記変換プレートの移動距離は、該変換プレートの往路側から復路側への移動距離以上であることを特徴とする請求項４に記載の開閉装置。
【請求項６】
前記Ｕ字状移動経路に沿う前記変換プレートの往路移動のときに往復移動方向に圧縮変形される往復移動付勢バネを設け、前記往復移動付勢バネの反発力により該変換プレートの復路移動がなされ、
前記Ｕ字状移動経路に沿う往復移動方向と直交する一方向に前記変換プレートを付勢する第１直交方向付勢バネと、前記往復移動方向と直交する他方向に前記変換プレートを付勢する第２直交付勢バネとを設け、前記Ｕ字状移動経路に沿う前記変換プレートの復路移動のときに前記第１及び第２直交付勢バネの一方が圧縮され、次の該変換プレートの往路移動のときに前記圧縮された一方の直交付勢バネの反発力により該変換プレートが往路側から復路側へと移動され、
前記往復移動付勢バネの反発力が前記第１及び第２直交付勢バネの反発力よりも大きいことを特徴とする請求項１に記載の開閉装置。
【請求項７】
前記Ｕ字状移動経路の頂点付近の前記変換プレートの移動により圧縮変形される頂点移動付勢バネを設け、前記頂点移動付勢バネの反発力により該変換プレートの往路側から復路側への移動の補助がなされることを特徴とする請求項１に記載の開閉装置。
【請求項８】
前記操作部は、前記開閉装置が適用された機器を手で把持したときに該手の親指により操作し得る位置に配置されたことを特徴とする請求項１に記載の開閉装置。
【発明の詳細な説明】
【技術分野】
【０００１】
本発明は、携帯電話機等の開閉に好適な開閉装置に関する。
【背景技術】
【０００２】
携帯電話機等の電子機器では、小型化を実現するために、本体を二つ折りに折り畳むことを可能にしたり、本体を２分割して、その一方を他方に対してスライド可能に支持したりしている。
【０００３】
例えば、特許文献１の携帯電話機は、テンキーを設けた本体と、表示画面等を設けた蓋体とを備え、蓋体を本体に対してスライド可能に支持しており、蓋体をスライドさせ本体に重ね合わせて、携帯電話機を小型化したり、蓋体をスライドさせ本体からずらして、本体のテンキーを露出させて操作可能な状態にする様にしている。
【０００４】
また、特許文献２のスライド装置は、蓋体をスライドさせて開くときに、バネを圧縮して保持し、蓋体を閉じるときには、バネの反発力により蓋体をスライドさせている。
【０００５】
更に、図１３（ａ）、（ｂ）に示す様な携帯電話機もある。この携帯電話機は、本体１０１と、蓋体１０２とを備え、蓋体１０２を本体１０１に対してスライド可能に支持している。本体１０１には、２本の縦溝孔１０１ａが形成されており、各縦溝孔１０１ａに蓋体１０２の２つのガイド突起部（図示せず）が挿通され、これらのガイド突起部先端にそれぞれの固定部１０３が固定されて、蓋体１０２が縦方向にスライド可能に支持されている。また、本体１０１には、コイルバネ１０５を差し込んだガイド棒１０４の両端が固定支持され、コイルバネ１０５の一端が連結片１０６を介して一方の固定部１０３に連結されている。
【０００６】
図１３（ａ）に示す様に蓋体１０２をスライドさせ本体１０１に重ね合わせた状態では、各固定部１０３が本体１０１の各縦溝孔１０１ａの下端まで移動し、一方の固定部１０３がコイルバネ１０５を圧縮方向に押し下げる。このとき、本体１０１側の開閉レバー１０７の先端１０７ａが本体１０１の孔１０１ｂを通じて蓋体１０２の凹部１０２ａに嵌合し、蓋体１０２がコイルバネ１０５の伸長方向の付勢力に抗して係止される。
【０００７】
開閉レバー１０７が操作されて、その先端１０７ａが蓋体１０２の凹部１０２ａから外されると、コイルバネ１０５の伸長方向の付勢力が解放されて、コイルバネ１０５が一方の固定部１０３を押し上げ、図１３（ｂ）に示す様に各固定部１０３が本体１０１の各縦溝孔１０１ａの上端まで移動し、蓋体１０２が上方にスライドする。
【特許文献１】特開２００３−１１０６７５号公報
【特許文献２】実用新案登録第３１１２５０８号公報
【発明の開示】
【発明が解決しようとする課題】
【０００８】
しかしながら、特許文献１の携帯電話機では、蓋体を手で操作してスライドさせる必要があり、この操作を円滑に行うには両手を使わねばならず、利便性に欠く。例えば、荷物を持っていて、一方の手が塞がっていたならば、他方の手だけで蓋体をスライドさせるしかなく、蓋体のスライドが困難になる。
【０００９】
また、特許文献２及び図１３（ａ）、（ｂ）では、開く又は閉じるの一方がバネの付勢力により行われても、他方が両手操作により行われるので、やはり操作を円滑に行えないことがあり、使い勝手が良いとは言い難かった。
【００１０】
そこで、本発明は、上記従来の問題に鑑みてなされたものであり、開く及び閉じるの両方を片手操作で簡単に行うことが可能な開閉装置を提供することを目的とする。
【課題を解決するための手段】
【００１１】
上記課題を解決するために、本発明は、変換プレートにＵ字型孔を形成して、該変換プレートのＵ字型孔内周にギア歯を設け、該変換プレートのＵ字型孔内周のギア歯に歯合する小円形歯車を設け、該小円形歯車に大円形歯車を同心状に重ね合わせて固定し、該大円形歯車にラック歯車を歯合させており、前記変換プレートのＵ字型孔内周のギア歯が前記小円形歯車に歯合した状態で移動し得る様に該変換プレートをＵ字状移動経路に沿って移動可能に支持し、前記Ｕ字状移動経路に沿う前記変換プレートの往復移動を操作する操作部を設けている。
【００１２】
また、前記Ｕ字状移動経路に沿う前記変換プレートの往路移動のときに往復移動方向に圧縮変形される往復移動付勢バネを設け、前記往復移動付勢バネの反発力により該変換プレートの復路移動がなされる。
【００１３】
この場合、前記往復移動付勢バネの反発力による前記変換プレートの移動距離は、該変換プレートの復路移動の移動距離以上である。
【００１４】
また、前記Ｕ字状移動経路に沿う往復移動方向と直交する一方向に前記変換プレートを付勢する第１直交方向付勢バネと、前記往復移動方向と直交する他方向に前記変換プレートを付勢する第２直交付勢バネとを設け、前記Ｕ字状移動経路に沿う前記変換プレートの復路移動のときに前記第１及び第２直交付勢バネの一方が圧縮され、次の該変換プレートの往路移動のときに前記圧縮された一方の直交付勢バネの反発力により該変換プレートが往路側から復路側へと移動される。
【００１５】
この場合、前記第１及び第２直交付勢バネの反発力による前記変換プレートの移動距離は、該変換プレートの往路側から復路側への移動距離以上である。
【００１６】
更に、前記往復移動付勢バネの反発力が前記第１及び第２直交付勢バネの反発力よりも大きくされている。
【００１７】
また、前記Ｕ字状移動経路の頂点付近の前記変換プレートの移動により圧縮変形される頂点移動付勢バネを設け、前記頂点移動付勢バネの反発力により該変換プレートの往路側から復路側への移動の補助がなされる。
【００１８】
また、前記操作部は、前記開閉装置が適用された機器を手で把持したときに該手の親指により操作し得る位置に配置される。
【発明の効果】
【００１９】
この様な本発明によれば、変換プレートのＵ字型孔内周のギア歯が小円形歯車に歯合した状態で移動し得る様に変換プレートをＵ字状移動経路に沿って移動可能に支持している。そして、操作部を操作して、Ｕ字状移動経路に沿って変換プレートを往復移動させている。この変換プレートがＵ字状移動経路に沿って往復移動すると、このＵ字型孔内周のギア歯もＵ字状移動経路に沿って往復移動し、このＵ字状移動経路に歯合している小円形歯車が回転し、小円形歯車に同心状に重なる大円形歯車が回転し、大円形歯車に歯合しているラック歯車が直線状に移動する。円形歯車は、Ｕ字状移動経路に沿う略直線状の往路移動、頂点付近の曲線状の移動、及び略直線状の復路移動に伴い、一回転方向に回転し続ける。従って、大円形歯車も一回転方向に回転し続け、ラック歯車が一方向に直線状に移動する。
【００２０】
また、円形歯車は、Ｕ字状移動経路に沿う逆方向の移動に伴い、逆回転方向に回転し続ける。従って、大円形歯車も逆回転方向に回転し続け、ラック歯車が逆方向に直線状に移動する。
【００２１】
操作部の操作は、Ｕ字状移動経路に沿って変換プレートを往復移動させるために行われるので、単なる一方向の直線状の操作ではなく、往復移動操作となり、単なる一方向の直線状の操作と比較すると、操作部の操作範囲が狭い。また、小円形歯車が回転し、小円形歯車に同心状の大円形歯車が回転し、大円形歯車に歯合しているラック歯車が直線状に移動するので、小円形歯車にラック歯車を直接歯合させる場合と比較すると、ラック歯車の移動距離が長くなる。
【００２２】
すなわち、操作部の僅かな操作量により、ラック歯車を十分な距離で往復移動させることができる。
【００２３】
この様なラック歯車の往復移動は、例えば携帯電話機の蓋体の開閉に適用することができる。これにより、蓋体の開く及び閉じるの両方を片手操作で簡単に行うことが可能になる。
【００２４】
また、Ｕ字状移動経路に沿う変換プレートの往路移動のときに往復移動付勢バネが圧縮変形し、往復移動付勢バネの反発力により変換プレートの復路移動がなされる。そして、往復移動付勢バネの反発力による変換プレートの移動距離は、変換プレートの復路移動の移動距離以上である。
【００２５】
この様な往復移動付勢バネを設けた場合は、操作部を操作して、変換プレートを往路移動させる必要があるが、往復移動付勢バネの反発力により変換プレートの復路移動がなされるので、変換プレートの復路移動のための操作部の操作が簡単になる。
【００２６】
また、Ｕ字状移動経路に沿う往復移動方向と直交する両方向に変換プレートをそれぞれ付勢する第１及び第２直交方向付勢バネを設け、変換プレートの復路移動のときに第１及び第２直交付勢バネの一方が圧縮され、次の該変換プレートの往路移動のときに圧縮された一方の直交付勢バネの反発力により該変換プレートが往路側から復路側へと移動される。そして、直交付勢バネの反発力による変換プレートの移動距離は、変換プレートの往路側から復路側への移動距離以上である。
【００２７】
この様な第１及び第２直交方向付勢バネを設けた場合は、変換プレートの往路側から復路側への移動が確実かつ円滑になされる。
【００２８】
また、往復移動付勢バネの反発力を第１及び第２直交付勢バネの反発力よりも大きくしている。これにより、Ｕ字状移動経路に沿う変換プレートの移動が円滑になされる。
【００２９】
また、Ｕ字状移動経路の頂点付近の変換プレートの移動により圧縮変形される頂点移動付勢バネを設け、頂点移動付勢バネの反発力により該変換プレートの往路側から復路側への移動の補助がなされる。これにより、往復移動方向と直交する方向での変換プレートの移動がより確実になる。
【００３０】
また、操作部は、開閉装置が適用された機器を手で把持したときに該手の親指により操作し得る位置に配置されている。これにより、片手での操作が容易になる。
【発明を実施するための最良の形態】
【００３１】
以下、本発明の一実施形態を添付図面を参照しつつ詳細に説明する。
【００３２】
図１（ａ）、（ｂ）、（ｃ）、及び（ｄ）は、本発明の開閉装置の一実施形態を示す左側面図、正面図、右側面図、及び上面図である。また、図２（ａ）、（ｂ）、（ｃ）、及び（ｄ）は、本実施形態の開閉装置を左から見て示す透視図、正面から見て示す透視図、右から見て示す透視図、及び上から見て示す透視図である。
【００３３】
本実施形態の開閉装置１においては、表筐体２と裏筐体３間で変換プレート４をＵ字状移動経路に沿って移動可能に支持し、変換プレート４の上下両端をコの字型操作枠５の内側に挟んでいる。このコの字型操作枠５を上下に操作して、変換プレート４をＵ字状移動経路に沿って移動させることができる。
【００３４】
また、変換プレート４の中央にＵ字型孔４ａを形成し、このＵ字型孔４ａの内周にギア歯を設けている。表筐体２の中央で小円形歯車６及び大円形歯車７を軸支し、小円形歯車６を表筐体２と裏筐体３間に配置して、小円形歯車６を変換プレート４のＵ字型孔４ａ内周のギア歯に歯合させ、大円形歯車７を表筐体２の表外側に配置して、大円形歯車７をラック歯車８に歯合させている。
【００３５】
コの字型操作枠５の上下操作により変換プレート４をＵ字状移動経路に沿って移動させると、変換プレート４のＵ字型孔４ａ内周のギア歯に歯合している小円形歯車６が回転し、大円形歯車７も回転し、大円形歯車７に歯合しているラック歯車８が上下方向に直線移動する。
【００３６】
図３（ａ）、（ｂ）は、表筐体２を示す正面図及び上面図である。表筐体２の上下にそれぞれの側板２ａを設け、各側板２ａに変換プレート４が挿通するそれぞれの孔２ｂを形成している。
【００３７】
また、表筐体２の中央に孔２ｃを設け、図２に示す様に該中央の孔２ｃに小円形歯車６と大円形歯車７を連結する共通軸１０を挿し通して、小円形歯車６と大円形歯車７を軸支している。
【００３８】
更に、表筐体２の中央の孔２ｃを挟む上下の２箇所に、変換プレート４をＵ字状移動経路に沿って移動可能に支持するためのそれぞれのガイドピン９を突設している。
【００３９】
図４（ａ）、（ｂ）は、裏筐体３及びコの字型操作枠５を示す正面図及び上面図である。裏筐体３の左右にそれぞれの側板３ａ、３ｂを設け、一方の側板３ａを上方向に延長して直角に折り曲げ、この折り曲げられた部位をバネ固定部３ｃとし、このバネ固定部３ｃの孔に固定ピン１１を挿し通して、この固定ピン１１によりコイルバネ１２の上端を固定している。
【００４０】
また、図１及び図２に示す様に裏筐体３の左右の各側板３ａ、３ｂと表筐体２の上下の各側板２ａを組み合わせて、１つの筐体を形成し、変換プレート４を表筐体２の上下の各側板２ａの孔２ｂに通して配置している。
【００４１】
裏筐体３の各側板３ａ、３ｂの内側には、第１及び第２直交方向付勢バネ１３、１４をそれぞれネジ止めしている。変換プレート４は、第１及び第２直交方向付勢バネ１３、１４間に配置され、第１及び第２直交方向付勢バネ１３、１４により中央寄りに付勢される。
【００４２】
コの字型操作枠５は、側板５ａ及び上下の挟持片５ｂからなるコの字型の部材であり、図２に示す様に上下の挟持片５ｂ間に変換プレート４の上下両端を挟み持ち、変換プレート４を左右方向移動自在に支持している。また、コの字型操作枠５の側板５ａに操作レバー１５を設けている。
【００４３】
コの字型操作枠５の側板５ａに上下方向に長い２つのガイド孔５ｃを形成し、また裏筐体３の側板３ｂに２つの丸孔３ｄを形成している。２つのビス１６は、コの字型操作枠５の側板５ａの各ガイド孔５ｃに通され、更に裏筐体３の側板３ｂの各丸孔３ｄに通されてそれぞれのナット１７にねじ込んで固定される。これにより、図１に示す様にコの字型操作枠５がその側板５ａの各ガイド孔５ｃにガイドされて上下移動可能に支持される。
【００４４】
裏筐体３のコイルバネ１２の下端は、図２に示す様にコの字型操作枠５の上側の挟持片５ｂに当接し、コの字型操作枠５及び変換プレート４を下方向に付勢している。
【００４５】
図６は、変換プレート４を示す正面図である。変換プレート４は、その中央にＵ字型孔４ａを有しており、Ｕ字型孔４ａの対向する一対の直線状内周部４ｂ及び該各直線状内部４ｂ間の曲線状内周部４ｃにギヤ歯を形成したものである。
【００４６】
また、変換プレート４のＵ字型孔４ａを挟む上下の２箇所に、変換プレート４をＵ字状移動経路に沿って移動可能に支持するためのそれぞれのＵ字状ガイド孔４ｄを形成している。図２に示す様に表筐体２の各ガイドピン９を変換プレート４の各Ｕ字状ガイド孔４ｄに差し通して、変換プレート４の移動範囲をＵ字状移動経路に制限している。これにより、変換プレート４のＵ字型孔４ａ内周のギア歯が小円形歯車６に歯合した状態で変換プレート４がＵ字状移動経路に沿って移動可能に支持される。
【００４７】
更に、変換プレート４の各Ｕ字状ガイド孔４ｄの上側に、それぞれのガイド溝４ｅを形成している。各ガイド溝４ｅは、図２に示す様にそれぞれの頂点移動付勢バネ１８を左右方向に移動自在に支持するためのものである。
【００４８】
図５（ａ）、（ｂ）は、頂点移動付勢バネ１８を示す正面図及び側面図である。頂点移動付勢バネ１８は、三角柱状支持片１８ａと、三角柱状支持片１８ａの両端に固定されたそれぞれのくの字型バネ１８ｂとを備えており、各くの字型バネ１８ｂの先端を向かい合わせている。図２に示す様に三角柱状支持片１８ａの裏面側の突起片１８ｃを変換プレート４の各ガイド溝４ｅに挿入して、各頂点移動付勢バネ１８を左右方向に移動自在に支持している。
【００４９】
次に、この様な構成の開閉装置１の操作及び動作を、図７、図８、図９、及び図１０を参照しながら詳しく説明する。
【００５０】
まず、図７（ａ）及び図９（ａ）に示す様な初期状態では、変換プレート４の各Ｕ字状ガイド孔４ｄの端位置ｐ１が表筐体２の各ガイドピン９に当接し、変換プレート４が表筐体２及び裏筐体３に対して最も下側かつ左側に移動し、コの字型操作枠５が最も下側に移動している。このとき、コイルバネ１２が伸長して、その下端がコの字型操作枠５の上側の挟持片５ｂを押圧している。また、変換プレート４が第２直交方向付勢バネ１４を左方向に押圧して、第２直交方向付勢バネ１４が圧縮変形し、第１直交方向付勢バネ１３が変換プレート４から離間して解放されている。更に、表筐体２の各ガイドピン９が変換プレート４の各頂点移動付勢バネ１８の三角柱状支持片１８ａの一斜面１８ｄを押圧して、各頂点移動付勢バネ１８がそれぞれのガイド溝４ｅの最も左側位置まで移動されている。
【００５１】
また、小円形歯車６が変換プレート４のＵ字型孔４ａ右側の直線状内周部４ｂ上側に歯合し、大円形歯車７に歯合しているラック歯車８が最も下方に移動している。
【００５２】
ここで、図７（ｂ）及び図９（ｂ）、（ｃ）に示す様にコの字型操作枠５の操作レバー１５を矢印方向Ａに押し上げて行くと、コの字型操作枠５が変換プレート４と共に上方向へと移動する。これに伴って、変換プレート４のＵ字型孔４ａが上方向に移動し、Ｕ字型孔４ａ右側の直線状内周部４ｂに歯合している小円形歯車６が矢印方向Ｂの反時計周りに回転する。
【００５３】
そして、変換プレート４の各Ｕ字状ガイド孔４ｄの頂点位置ｐｐが表筐体２の各ガイドピン９に達して当接し、同時にコの字型操作枠５の下側の挟持片５ｂが表筐体２の下側の側板２ａに当接すると、操作レバー１５を押し上げることができなくなり、変換プレート４の上方向への移動が停止する。このとき、変換プレート４が最も上側まで移動して、コイルバネ１２が圧縮変形する。
【００５４】
また、変換プレート４の各Ｕ字状ガイド孔４ｄの頂点位置ｐｐが各ガイドピン９の付近まで移動して来ると、Ｕ字状移動経路に沿う変換プレート４の右方向への移動が可能になり、圧縮変形していた第２直交方向付勢バネ１４の付勢力により変換プレート４が右方向に移動される。更に、各頂点移動付勢バネ１８の右側のくの字型バネ１８ｂが各ガイドピン９に圧接して変形するので、これらの右側のくの字型バネ１８ｂの付勢力によっても変換プレート４が右方向に移動される。これにより、変換プレート４の各Ｕ字状ガイド孔４ｄの頂点位置ｐｐが各ガイドピン９を通り過ぎるまで、変換プレート４が右方向に移動される。
【００５５】
こうして変換プレート４の各Ｕ字状ガイド孔４ｄの頂点位置ｐｐが各ガイドピン９の前後で移動しているときには、小円形歯車６が変換プレート４のＵ字型孔４ａの曲線状内周部４ｃに歯合しつつやはり矢印方向Ｂの反時計周りに回転する。
【００５６】
引き続いて、図７（ｃ）及び図９（ｄ）に示す様にコの字型操作枠５の操作レバー１５を解放すると、圧縮変形していたコイルバネ１２により変換プレート４及びコの字型操作枠５が下方向に付勢される。このとき、変換プレート４の各Ｕ字状ガイド孔４ｄの頂点位置ｐｐが各ガイドピン９を既に過ぎており、変換プレート４がＵ字状移動経路に沿ってより右方向に移動され、更に変換プレート４の各Ｕ字状ガイド孔４ｄの端位置ｐ２が各ガイドピン９に当接するまで変換プレート４がコの字型操作枠５と共に下方向に移動される。これにより、変換プレート４が最も下側かつ右側に移動した状態となる。
【００５７】
この変換プレート４の右方向への移動に伴い、変換プレート４が第１直交方向付勢バネ１３を右方向に押圧して、第１直交方向付勢バネ１３が圧縮変形し、第２直交方向付勢バネ１４が変換プレート４から離間して解放される。更に、表筐体２の各ガイドピン９が変換プレート４の各頂点移動付勢バネ１８の三角柱状支持片１８ａの他斜面１８ｅを押圧して、各頂点移動付勢バネ１８がそれぞれのガイド溝４ｅの最も右側位置まで移動される。
【００５８】
また、変換プレート４の下方向への移動に伴い、小円形歯車６が変換プレート４のＵ字型孔４ａ左側の直線状内周部４ｂに歯合しつつやはり矢印方向Ｂの反時計周りに回転する。
【００５９】
すなわち、図７（ａ）及び図９（ａ）に示す様に変換プレート４が最も下側かつ左側に移動している状態で、図７（ｂ）及び図９（ｂ）、（ｃ）に示す様に操作レバー１５が押し上げられると、変換プレート４がＵ字状移動経路に沿って上方向へと移動して、コイルバネ１２が圧縮変形される。そして、第２直交方向付勢バネ１４の付勢力及び各頂点移動付勢バネ１８の右側のくの字型バネ１８ｂの付勢力により変換プレート４が右方向に移動される。更に、図７（ｃ）及び図９（ｄ）に示す様に操作レバー１５が解放されると、コイルバネ１２の付勢力により変換プレート４が下方向へと移動され、変換プレート４が最も下側かつ右側に移動する。
【００６０】
この様に変換プレート４がＵ字状移動経路に沿って往復移動するに際し、小円形歯車６が変換プレート４のＵ字型孔４ａ右側の直線状内周部４ｂ上側から曲線状内周部４ｃを介して左側の直線状内周部４ｂ上側まで歯合しながら矢印方向Ｂの反時計周りに回転し続け、大円形歯車７も矢印方向Ｂの反時計周りに回転し続ける。このため、大円形歯車７に歯合しているラック歯車８は、図７（ａ）〜図７（ｃ）に示す様に下方から上方へと移動する。
【００６１】
次に、図８（ａ）及び図１０（ａ）に示す様に（図７（ｃ）及び図９（ｄ）と同様に）変換プレート４の各Ｕ字状ガイド孔４ｄの端位置ｐ２が表筐体２の各ガイドピン９に当接し、変換プレート４が最も下側かつ右側に移動し、コの字型操作枠５が最も下側に移動しているものとする。このとき、コイルバネ１２が伸長し、また第１直交方向付勢バネ１３が右方向に押圧されて圧縮変形し、第２直交方向付勢バネ１４が変換プレート４から離間して解放されている。更に、表筐体２の各ガイドピン９が変換プレート４の各頂点移動付勢バネ１８の三角柱状支持片１８ａの他斜面１８ｅを押圧して、各頂点移動付勢バネ１８がそれぞれのガイド溝４ｅの最も右側位置まで移動されている。
【００６２】
また、小円形歯車６が変換プレート４のＵ字型孔４ａ左側の直線状内周部４ｂ上側に歯合し、大円形歯車７に歯合しているラック歯車８が最も上方に移動している。
【００６３】
図８（ｂ）及び図１０（ｂ）、（ｃ）に示す様にコの字型操作枠５の操作レバー１５を矢印方向Ａに押し上げて行くと、コの字型操作枠５が変換プレート４と共に上方向へと移動し、変換プレート４のＵ字型孔４ａ左側の直線状内周部４ｂに歯合している小円形歯車６が矢印方向Ｃの時計周りに回転する。
【００６４】
そして、変換プレート４の各Ｕ字状ガイド孔４ｄの頂点位置ｐｐが表筐体２の各ガイドピン９に達して当接し、同時にコの字型操作枠５の下側の挟持片５ｂが表筐体２の下側の側板２ａに当接すると、操作レバー１５を押し上げることができなくなり、変換プレート４の上方向への移動が停止し、コイルバネ１２が圧縮変形する。
【００６５】
また、変換プレート４の各Ｕ字状ガイド孔４ｄの頂点位置ｐｐが各ガイドピン９の付近まで移動して来ると、Ｕ字状移動経路に沿う変換プレート４の左方向への移動が可能になり、圧縮変形していた第１直交方向付勢バネ１３の付勢力により変換プレート４が左方向に移動される。更に、各頂点移動付勢バネ１８の左側のくの字型バネ１８ｂが各ガイドピン９に圧接して一旦変形し、これらの左側のくの字型バネ１８ｂの付勢力によっても変換プレート４が左方向に移動される。これにより、変換プレート４の各Ｕ字状ガイド孔４ｄの頂点位置ｐｐが各ガイドピン９を通り過ぎるまで、変換プレート４が左方向に移動される。
【００６６】
こうして変換プレート４の各Ｕ字状ガイド孔４ｄの頂点位置ｐｐが各ガイドピン９の前後で移動しているときにも、小円形歯車６が変換プレート４のＵ字型孔４ａの曲線状内周部４ｃに歯合しつつ矢印方向Ｃの時計周りに回転する。
【００６７】
引き続いて、図８（ｃ）及び図１０（ｄ）に示す様にコの字型操作枠５の操作レバー１５を解放すると、圧縮変形していたコイルバネ１２により変換プレート４及びコの字型操作枠５が下方向に付勢される。このとき、変換プレート４がＵ字状移動経路に沿ってより左方向に移動され、更に変換プレート４の各Ｕ字状ガイド孔４ｄの端位置ｐ１が各ガイドピン９に当接するまで、変換プレート４がコの字型操作枠５と共に下方向に移動される。これにより、変換プレート４が最も下側かつ左側に移動した状態となる。
【００６８】
このＵ字状移動経路に沿う変換プレート４の左方向への移動に伴い、変換プレート４が第２直交方向付勢バネ１４を左方向に押圧して、第２直交方向付勢バネ１４が圧縮変形し、第１直交方向付勢バネ１３が変換プレート４から離間して解放されている。更に、表筐体２の各ガイドピン９が変換プレート４の各頂点移動付勢バネ１８の三角柱状支持片１８ａの一斜面１８ｄを押圧して、各頂点移動付勢バネ１８がそれぞれのガイド溝４ｅの最も左側位置まで移動される。
【００６９】
また、Ｕ字状移動経路に沿う変換プレート４の下方向への移動に伴い、小円形歯車６が変換プレート４のＵ字型孔４ａ右側の直線状内周部４ｂに歯合しつつ矢印方向Ｃの時計周りに回転する。
【００７０】
すなわち、図８（ａ）及び図１０（ａ）に示す様に変換プレート４が最も下側かつ右側に移動している状態で、図８（ｂ）及び図１０（ｂ）、（ｃ）に示す様に操作レバー１５が押し上げられると、変換プレート４がＵ字状移動経路に沿って上方向へと移動されて、コイルバネ１２が圧縮変形される。そして、第１直交方向付勢バネ１３の付勢力及び各頂点移動付勢バネ１８の左側のくの字型バネ１８ｂの付勢力により変換プレート４が左方向に移動される。更に、図８（ｃ）及び図１０（ｄ）に示す様に操作レバー１５が解放されると、コイルバネ１２の付勢力により変換プレート４が下方向へと移動され、変換プレート４が最も下側かつ右側に移動した状態となる。
【００７１】
この様に変換プレート４がＵ字状移動経路に沿って再び往復移動するに際し、小円形歯車６が変換プレート４のＵ字型孔４ａ左側の直線状内周部４ｂ上側から曲線状内周部４ｃを介して右側の直線状内周部４ｂ上側まで歯合しながら矢印方向Ｃの時計周りに回転し続け、大円形歯車７も矢印方向Ｃの時計周りに回転し続ける。このため、大円形歯車７に歯合しているラック歯車８は、図８（ａ）〜図８（ｃ）に示す様に上方から下方へと移動する。
【００７２】
ここで、図７（ａ）〜図７（ｃ）の手順でラック歯車８が下方から上方へと移動し、図８（ａ）〜図８（ｃ）の手順でラック歯車８が上方から下方へと移動している。そして、図７（ａ）と図８（ｃ）が同様の状態であり、図７（ｃ）と図８（ａ）が同様の状態である。すなわち、図７（ａ）の状態から始まって、図７（ｃ）と図８（ａ）の状態を経由し、図８（ｃ）の状態（図７（ａ）の状態）へと戻る。
【００７３】
従って、図７（ａ）、（ｂ）に示す様にコの字型操作枠５の操作レバー１５を押し上げて、変換プレート４を最も上側まで移動させ、図７（ｃ）に示す様に操作レバー１５を解放して、変換プレート４を最も下側まで移動させ、引き続いて図８（ａ）、（ｂ）に示す様にコの字型操作枠５の操作レバー１５を再び押し上げて、変換プレート４を最も上側まで移動させ、図８（ｃ）に示す様に操作レバー１５を解放して、変換プレート４を最も下側まで移動させるという動作を反復させることができ、この反復によりラック歯車８を上下に往復移動させることができる。
【００７４】
また、操作レバー１５の往復操作は、変換プレート４のＵ字型孔４ａ、小円形歯車６、及び大円形歯車７等を介して、ラック歯車８の上下方向の直線移動に変換されている。すなわち、図７（ａ）〜図７（ｃ）に示す様な操作レバー１５の一往復の操作がラック歯車８の下方向から上方向への直線移動に変換され、更に図８（ａ）〜図８（ｃ）に示す様な操作レバー１５の一往復の操作がラック歯車８の上方向から下方向への直線移動に変換されている。
【００７５】
更に、小円形歯車６に同心状の大円形歯車７が回転し、大円形歯車７に歯合しているラック歯車８が直線状に移動するので、小円形歯車６にラック歯車８を直接歯合させる場合と比較すると、ラック歯車８の移動距離が長くなる。
【００７６】
この結果、操作レバー１５の僅かな操作量により、ラック歯車８を十分な距離で往復移動させることができる。
【００７７】
例えば、操作レバー１５を押し上げる距離が８ｍｍ程度である場合は、操作レバー１５を押し上げて解放すると、変換プレート４がＵ字状移動経路に沿って距離２０ｍｍだけ往復移動し、小円形歯車６の周縁が距離２０ｍｍだけ回転移動する。そして、大円形歯車７の径を小円形歯車６の径の２倍に設定した場合は、小円形歯車６の周縁が距離２０ｍｍだけ回転移動すると、大円形歯車７の周縁が距離４０ｍｍだけ回転移動し、ラック歯車８が４０ｍｍだけ一方向に直線移動する。更に、操作レバー１５を再び押し上げて解放すると、変換プレート４がＵ字状移動経路に沿って距離２０ｍｍだけ逆方向に往復移動し、大円形歯車７の周縁が距離４０ｍｍだけ逆方向に回転移動し、ラック歯車８が４０ｍｍだけ逆方向に直線移動する。
【００７８】
また、変換プレート４が上方向に移動するときにコイルバネ１２が圧縮変形し、コイルバネ１２の反発力により変換プレート４が下方向に移動されるので、操作レバー１５を押し上げるという操作だけが必要になり、操作レバー１５を引き下げるという操作が必要ではなく、操作レバー１５の操作が簡単になる。
【００７９】
また、第１及び第２直交方向付勢バネ１３、１４により変換プレート４を左右方向に移動させているので、変換プレート４の左右方向の移動が確実かつ円滑になされる。
【００８０】
ただし、圧縮変形されたコイルバネ１２の反発力は、変換プレート４を距離２０ｍｍ以上移動させ得る様に設定する必要がある。同様に、圧縮変形された第１及び第２直交方向付勢バネ１３、１４の反発力は、変換プレート４を往路側から復路側へと移動させ得る様に設定する必要がある。
【００８１】
また、図７（ｃ）、（ｄ）及び図８（ｃ）、（ｄ）に示す様にコイルバネ１２の反発力により変換プレート４が下方向に移動するときに、第１及び第２直交方向付勢バネ１３、１４のいずれかが圧縮変形し得る様にコイルバネ１２の反発力と第１及び第２直交方向付勢バネ１３、１４の反発力との関係を設定する必要がある。
【００８２】
図１１（ａ）、（ｂ）、及び（ｃ）は、本実施形態の開閉装置１を適用した携帯電話機を正面から見て示す透視図、右から見て示す透視図、及び上から見て示す透視図である。
【００８３】
この携帯電話機２１は、本体２２と、蓋体２３とを備え、蓋体２３を本体２２に対してスライド可能に支持している。本体２２側には、本実施形態の開閉装置１における表筐体２、裏筐体３、変換プレート４、コの字型操作枠５、小円形歯車６、及び大円形歯車７等が設けられ、コの字型操作枠５の操作レバー１５が本体２２の側面から突出している。また、蓋体２３には、本実施形態の開閉装置１におけるラック歯車８が固定されている。
【００８４】
ここで、図１１（ａ）に示す様に本体２２を手の平上の適宜位置で把持すると、手の親指が操作レバー１５に当たり、親指による操作レバー１５の操作が可能になる。この状態で、親指により操作レバー１５を押し上げてから、操作レバー１５を解放すると、図７（ａ）〜図７（ｃ）の手順でラック歯車８が下方から上方へと移動する。これに伴い、図１２（ａ）、（ｂ）、及び（ｃ）に示す様にラック歯車８を固定した蓋体２３が本体２２に対して上方にスライドする。
【００８５】
また、図１２の状態で、親指により操作レバー１５を再び押し上げてから、操作レバー１５を解放すると、図８（ａ）〜図８（ｃ）の手順でラック歯車８が上方から下方へと移動し、これに伴って蓋体２３も下方へスライドし、図１１に示す様に蓋体２３が本体２２に重なった元の状態に戻る。
【００８６】
尚、本発明は、上記実施形態に限定されるものではなく、多様に変形することができる。例えば、各バネの種類、形状、配置位置等を適宜に変更しても良い。また、本発明の開閉装置は、携帯電話機だけではなく、他の携帯用の電子機器等にも適用することができる。
【図面の簡単な説明】
【００８７】
【図１】（ａ）、（ｂ）、（ｃ）、及び（ｄ）は、本発明の開閉装置の一実施形態を示す左側面図、正面図、右側面図、及び上面図である。
【図２】（ａ）、（ｂ）、（ｃ）、及び（ｄ）は、図１の開閉装置を左から見て示す透視図、正面から見て示す透視図、右から見て示す透視図、及び上から見て示す透視図である。
【図３】（ａ）、（ｂ）は、図１の開閉装置における表筐体を示す正面図及び上面図である。
【図４】（ａ）、（ｂ）は、図１の開閉装置における裏筐体及びコの字型操作枠を示す正面図及び上面図である。
【図５】（ａ）、（ｂ）は、図１の開閉装置における頂点移動付勢バネを示す正面図及び側面図である。
【図６】図１の開閉装置における変換プレートを示す正面図である。
【図７】（ａ）〜（ｃ）は、図１の開閉装置におけるラック歯車を下方から上方へ移動させるための動作手順を示す図である。
【図８】（ａ）〜（ｃ）は、図１の開閉装置におけるラック歯車を上方から下方へ移動させるための動作手順を示す図である。
【図９】（ａ）〜（ｄ）は、図１の開閉装置におけるラック歯車を下方から上方へ移動させるときの変換プレートと歯車の状態を拡大して示す図である。
【図１０】（ａ）〜（ｄ）は、図１の開閉装置におけるラック歯車を上方から下方へ移動させるときの変換プレートと歯車の状態を拡大して示す図である。
【図１１】（ａ）、（ｂ）、及び（ｃ）は、図１の開閉装置を適用した携帯電話機を正面から見て示す透視図、右から見て示す透視図、及び上から見て示す透視図である。
【図１２】（ａ）、（ｂ）、及び（ｃ）は、図１１の携帯電話機の蓋体を上方に移動させた状態で、携帯電話機を正面から見て示す透視図、右から見て示す透視図、及び上から見て示す透視図である。
【図１３】（ａ）、（ｂ）は、従来の携帯電話機の開閉動作を示す図である。
【符号の説明】
【００８８】
１  開閉装置
２  表筐体
３  裏筐体
４  変換プレート
５  コの字型操作枠
６  小円形歯車
７  大円形歯車
８  ラック歯車
９  ガイドピン
１１  固定ピン
１２  コイルバネ
１３  第１直交方向付勢バネ
１４  第２直交方向付勢バネ
１５  操作レバー
１８  頂点移動付勢バネ
２１  携帯電話機
２２  本体
２３  蓋体
【図１】
2007318326.tif 000003
【図２】
2007318326.tif 000004
【図３】
2007318326.tif 000005
【図４】
2007318326.tif 000006
【図５】
2007318326.tif 000007
【図６】
2007318326.tif 000008
【図７】
2007318326.tif 000009
【図８】
2007318326.tif 000010
【図９】
2007318326.tif 000011
【図１０】
2007318326.tif 000012
【図１１】
2007318326.tif 000013
【図１２】
2007318326.tif 000014
【図１３】
2007318326.tif 000015